【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
地上デジタルテレビジョン放送波からＡＣ信号を受信する受信機であって、
ＴＭＣＣ信号と同一フレーム長であり、ＴＭＣＣ信号と同一の同期信号と、少なくとも緊急地震速報の有無を識別するフラグと、緊急地震速報の情報を含む緊急速報とを格納する電文情報が、送信装置からＡＣキャリアにて伝送されるように予め規定され、且つ前記フラグは、平常時であるか、又は緊急地震速報が発せられた時であるかを区別可能なＮビット（Ｎは整数）からなり、
地上デジタルテレビジョン放送波を受信してＡＣ信号を抽出するＡＣ抽出手段と、
抽出したＡＣ信号の前記Ｎビットのフラグから緊急地震速報の有無を識別するフラグ検出手段と、
を備えることを特徴とする受信機。
【請求項２】
前記フラグが、平常時、緊急警報放送の有無、及び緊急地震速報の有無を識別するフラグを含む場合に、
抽出したＡＣ信号から、該フラグについて相関演算し、相関演算の結果である相関係数のピーク値の有無からフレーム同期タイミングを検出するとともに、緊急地震速報の有無を識別する緊急地震速報用起動・識別フラグ、緊急警報放送の有無を識別する緊急警報放送用起動フラグ及びその他のフラグのいずれの組み合わせであるかを判別する相関演算手段とを備え、
前記相関演算手段は、受信するＡＣ信号における奇数フレームと偶数フレームとを個別に識別して相関係数のピーク値を検出し、当該フラグの状態を判別することを特徴とする、請求項１に記載の受信機。
【請求項３】
前記電文情報は、ＩＳＤＢ−Ｔ方式の地上デジタルテレビジョン放送波の部分受信セグメントにおけるモード３の同期変調モードで、同一内容の緊急速報が８本のＡＣ信号にて伝送されるように予め規定されており、
前記相関演算手段は、ダイバシティ利得を得るために該８本のＡＣ信号に対して相関演算を行い、前記フラグの状態を判別することを特徴とする、請求項１または２のいずれか一項に記載の受信機。
【請求項４】
前記相関演算手段によって判別したフラグの状態が、緊急地震速報又は緊急警報放送が有ることを示す場合に、対応する緊急警報放送或いは緊急地震速報を復号する復号手段を更に備えることを特徴とする、請求項１〜３のいずれか一項に記載の受信機。
【請求項５】
前記復号手段によって復号した情報から、当該受信機の位置する地域の震度及び到達予測時間の予測情報を計算する予測情報計算手段を更に備えることを特徴とする、請求項４に記載の受信機。
【請求項６】
前記相関演算手段によって判別したフラグの状態が、緊急地震速報又は緊急警報放送が有ることを示す場合に、当該対応する緊急警報放送或いは緊急地震速報を復号するのに十分な期間で電源供給するように、当該受信機の電源供給の切り替えを行う制御手段を更に備えることを特徴とする、請求項１〜５のいずれか一項に記載の受信機。
【請求項７】
前記制御手段は、前記フラグが緊急地震速報又は緊急警報放送が有る旨を表すフラグ値を取得しない場合に、フレーム内間欠受信動作又はフレーム間間欠受信動作で、前記復号手段に電源供給することを特徴とする、請求項６に記載の受信機。
【請求項８】
前記復号手段は、複数のフレーム間で多数決判定して、前記緊急地震速報を復号することを特徴とする、請求項１〜７のいずれか一項に記載の受信機。
【請求項９】
前記電文情報は、ＩＳＤＢ−Ｔ方式の地上デジタルテレビジョン放送波の部分受信セグメントにおけるモード３の同期変調モードで、同一内容の緊急速報が８本のＡＣ信号にて伝送されるように予め規定されており、
前記復号手段は、ダイバシティ利得を得るために該８本のＡＣ信号から当該緊急地震速報を復号することを特徴とする、請求項４〜８のいずれか一項に記載の受信機。
【請求項１０】
前記電文情報は、予め定めた差集合巡回符号方式のパリティビットを含み、
前記復号手段は、該差集合巡回符号方式に基づく誤り訂正を行って、当該緊急速報を復号することを特徴とする、請求項４〜９のいずれか一項に記載の受信機。
【請求項１１】
前記警告発生手段は、当該受信機が備える表示器に文字で表示するか、当該受信機が備えるスピーカから音で発生させるか、当該受信機が備えるバイブレータによる振動警告を発するか、又は通常動作時とは異なる動作で知覚的に警告を発生することを特徴とする、請求項１〜１０のいずれか一項に記載の受信機。
【請求項１２】
前記予測情報計算手段は、当該受信機の位置する地域の震度及び到達予測時間の予測情報を計算する代わりに、前記電文情報のうち地震の発生についての情報か、又は該情報と発生時刻又は最大予測震度、又は該地震による強い揺れの虞がある地域の情報とを抽出して警告発生手段に送出する予測情報抽出手段として構成されていることを特徴とする、請求項５〜１１のいずれか一項に記載の受信機。
【請求項１３】
前記復号した緊急地震速報は、複数の地域を識別する地域コード、各地域における予測震度情報、及び各地域における予測到達時間情報を含み、
前記予測情報計算手段が、当該受信機の地域的な位置を表す位置情報を検出する位置検出手段と、当該受信機の現在時刻を表す現在時刻情報を検出する現在時刻検出手段とを備え、前記地域コード、前記予測震度情報及び前記予測到達時間情報と、前記位置情報及び前記現在時刻情報とから、当該受信機の位置する地域の震度及び到達予測時間の予測情報を計算することを特徴とする、請求項５〜１１のいずれか一項に記載の受信機。
【請求項１４】
前記復号した緊急地震速報は、地震の発生時刻、震源の緯度及び経度、震源の深さ、及びマグニチュードに関する情報を含み、
前記予測情報計算手段が、当該受信機の地域的な位置を表す位置情報を検出する位置検出手段と、当該受信機の現在時刻を表す現在時刻情報を検出する現在時刻検出手段とを備え、前記地震の発生時刻、前記震源の緯度及び経度、前記震源の深さ、及び前記マグニチュードに関する情報と、前記位置情報及び前記現在時刻情報とから、当該受信機の位置する地域の震度及び到達予測時間の予測情報を計算することを特徴とする、請求項５〜１１のいずれか一項に記載の受信機。
【請求項１５】
前記復号した緊急地震速報は、現在時刻、地震が発生してから現在時刻までの経過時間、震源の緯度及び経度、震源の深さ、及びマグニチュードの情報を含み、
前記予測情報計算手段が、当該受信機の地域的な位置を表す位置情報を検出する位置検出手段を備え、前記現在時刻、前記経過時間、前記震源の緯度及び経度、前記震源の深さ、及び前記マグニチュードの情報と、前記位置情報とから、当該受信機の位置する地域の震度及び到達予測時間の予測情報を計算することを特徴とする、請求項５〜１１のいずれか一項に記載の受信機。
【請求項１６】
ＡＣ信号内にて、受信機側で緊急地震速報を含む緊急速報の有無を判別させるために、ＴＭＣＣ信号と同一フレーム長であり、ＴＭＣＣ信号と同一の同期信号と、少なくとも緊急地震速報の有無を識別するフラグであって、平常時であるか、又は緊急地震速報が発せられた時であるかを区別可能なＮビット（Ｎは整数）からなるフラグと、緊急地震速報を含む緊急速報とを格納する電文情報をＡＣ信号にて伝送することを特徴とする、地上デジタルテレビジョン放送用の送信装置。
【請求項１７】
地上デジタルテレビジョン放送の伝送システムであって、
ＡＣ信号内にて、受信機側で緊急地震速報を含む緊急速報の有無を判別させるために、ＴＭＣＣ信号と同一フレーム長であり、ＴＭＣＣ信号と同一の同期信号と、少なくとも緊急地震速報の有無を識別するフラグであって、平常時であるか、又は緊急地震速報が発せられた時であるかを区別可能なＮビット（Ｎは整数）からなるフラグと、緊急地震速報を含む緊急速報とを格納する電文情報をＡＣ信号にて伝送する送信装置と、
地上デジタルテレビジョン放送波から前記ＡＣ信号を受信する受信機とを備え、
前記受信機は、
前記地上デジタルテレビジョン放送波を受信してＡＣ信号を抽出するＡＣ抽出手段と、
抽出したＡＣ信号の前記Ｎビットのフラグから緊急地震速報の有無を識別するフラグ検出手段とを備えることを特徴とする伝送システム。
【手続補正２】
【補正対象書類名】明細書
【補正対象項目名】００２１
【補正方法】変更
【補正の内容】
【００２１】
即ち、本発明による受信機は、地上デジタルテレビジョン放送波からＡＣ信号を受信する受信機であって、ＴＭＣＣ信号と同一フレーム長であり、ＴＭＣＣ信号と同一の同期信号と、少なくとも緊急地震速報の有無を識別するフラグと、緊急地震速報の情報を含む緊急速報とを格納する電文情報が、送信装置からＡＣキャリアにて伝送されるように予め規定され、且つ前記フラグは、平常時であるか、又は緊急地震速報が発せられた時であるかを区別可能なＮビット（Ｎは整数）からなり、地上デジタルテレビジョン放送波を受信してＡＣ信号を抽出するＡＣ抽出手段と、抽出したＡＣ信号の前記Ｎビットのフラグから緊急地震速報の有無を識別するフラグ検出手段と、を備えることを特徴とする。
また、本発明による受信機において、前記フラグは、平常時、緊急警報放送の有無、及び緊急地震速報の有無を識別するフラグを含む場合に、抽出したＡＣ信号から、該フラグについて相関演算し、相関演算の結果である相関係数のピーク値の有無からフレーム同期タイミングを検出するとともに、緊急地震速報の有無を識別する緊急地震速報用起動・識別フラグ、緊急警報放送の有無を識別する緊急警報放送用起動フラグ及びその他のフラグのいずれの組み合わせであるかを判別する相関演算手段とを備え、前記相関演算手段は、受信するＡＣ信号における奇数フレームと偶数フレームとを個別に識別して相関係数のピーク値を検出し、当該フラグの状態を判別することを特徴とする。
【手続補正３】
【補正対象書類名】明細書
【補正対象項目名】００３６
【補正方法】変更
【補正の内容】
【００３６】
更に、本発明による送信装置は、ＡＣ信号内にて、受信機側で緊急地震速報を含む緊急速報の有無を判別させるために、ＴＭＣＣ信号と同一フレーム長であり、ＴＭＣＣ信号と同一の同期信号と、少なくとも緊急地震速報の有無を識別するフラグであって、平常時であるか、又は緊急地震速報が発せられた時であるかを区別可能なＮビット（Ｎは整数）からなるフラグと、緊急地震速報を含む緊急速報とを格納する電文情報をＡＣ信号にて伝送することを特徴とする。